(57)【特許請求の範囲】
【請求項１】
手すり本体の終端部が挿入される端部部材と、この端部部材に連結される湾曲したエンドキャップ本体部と、このエンドキャップ本体部と前記端部部材とを連結するボルトとを具備しており、前記端部部材には終端部が挿入された手すり本体を固定するねじのためのねじ用開口が開設されているとともに、手すり本体が挿入される側と対向する側に凸部が、前記エンドキャップ本体部には前記凸部が挿入される凹部がそれぞれ形成されており、前記ボルトは、端部部材とエンドキャップ本体部とを連結した状態を保ちつつ、前記凸部が凹部から外れることができる長さの脚部を有していることを特徴とする手すり用エンドキャップ。
【請求項２】
手すり本体の終端部が挿入される端部部材と、この端部部材に連結される湾曲したエンドキャップ本体部と、このエンドキャップ本体部と前記端部部材とを連結するボルトとを具備しており、前記端部部材には終端部が挿入された手すり本体を固定するねじのためのねじ用開口が開設されているとともに、手すり本体が挿入される側と対向する側に凹部が、前記エンドキャップ本体部にはで凹部に挿入される凸部がそれぞれ形成されており、前記ボルトは、端部部材とエンドキャップ本体部とを連結した状態を保ちつつ、前記凸部が凹部から外れることができる長さの脚部を有していることを特徴とする手すり用エンドキャップ。
【請求項３】
前記凸部は多角柱状であり、前記凹部は凸部に対応していることを特徴とする請求項１又は２記載の手すり用エンドキャップ。
【請求項４】
前記凸部は正四角柱状であり、前記凹部は八芒星状であることを特徴とする請求項１、又は２記載の手すり用エンドキャップ。
【発明の詳細な説明】
【技術分野】
【０００１】
本発明は、手すりの終端部に取り付けられる手すり用エンドキャップに関する。
【背景技術】
【０００２】
手すりは主に老人や病人などが安定して歩くことができるようにするため、壁面等に取り付けられる補助設備である。この手すりが、その終端部まで真直状になっていると、手すりにつかまろうとした際に、袖口が手すりの終端部に引っ掛かって手元が狂ったり、袖口部分で急に引き戻されて転んでしまったりすることがある。また袖口が破れることもある。このため、手すりの終端部は屈曲している方が好ましく、手すりの終端部には屈曲した手すり用エンドキャップを取り付け、その手すり用エンドキャップの端面が下方か壁面に向くようにしているのが一般的である。
しかしながら、手すり用エンドキャップは、下方又は壁面ではなく斜め方向に向けなければならないこともある。
【０００３】
このため、手すりの終端部に斜め方向もに取り付けることができる手すり用エンドキャップとして特許第４１３５９３０号に係る発明がある。
この特許第４１３５９３０号に係る発明は、『中空の手摺の端部に連結金具を介して中間部が屈曲したエンドキャップを連結する手摺であって、該エンドキャップの上記手摺の端部に向き合う側の端面には、四角形を除く多角形状の凹部を開口形成し、連結金具の一方の端部には、上記凹部に嵌まり合う断面多角形状の第１の嵌合部を形成し、他方の端部には、上記手摺の中空部に嵌合する第２の嵌合部を、第１の嵌合部の端面の偏り位置から突出させて上部と下部に溝を設けて形成し、第２の嵌合部側から第１の嵌合部を貫通させて上記凹部の底部にネジをねじ込んで固定し、上記中空部の下側から第２の嵌合部の上記下部の溝から上部の溝に向けて別のネジをねじ込んで固定したことを特徴とする手摺。』である。
【０００４】
特許第４１３５９３０号に係る手摺りは、『中空の手摺の端部に連結金具を介して中間部が屈曲したエンドキャップを連結する手摺』であるため、無垢の木材或いは集成材等の汎用品である中実の手すりには適応することができないし、連結金具等を必要とするとともに、手摺りも連結金具を嵌め込むための専用品を使用する必要がある。
汎用品である手すりに対応する手すり用エンドキャップは、手すりの終端部に挿入される挿入部と、この挿入部に対して湾曲した湾曲部とが一体に形成されたものである。挿入部の周面にはねじ用開口が開設されている。挿入部に挿入された手すりにこのねじ用開口を介してタッピンねじをねじ込むことで、手すり用エンドキャップを手すりに固定するようになっている。
【０００５】
【特許文献１】特許第４１３５９３０号公報
【発明の開示】
【発明が解決しようとする課題】
【０００６】
しかしながら、汎用品の手すりの終端部に取り付けられる手すり用エンドキャップは、湾曲部が下側を向くか壁面に向くかによって、また手すりの右側に取り付けるか左側に取り付けるかによって、ねじ用開口の位置を変更する必要がある。すなわち、ねじ用開口はできるだけ使用者の目につかない場所、例えば下面側を向くように設置する必要があるため、手すりの右側に取り付けれらるもの、手すりの左側に取り付けられるもの、手すり用エンドキャップの端面が下側を向くもの、手すり用エンドキャップの端面が壁面を向くものように、複数種類の手すり用エンドキャップを準備する必要がある。
【０００７】
本発明は、上記事情に鑑みて創案されたもので、汎用品の手すりに適応可能で、かつ湾曲した部分の方向を変えることができ、しかもねじ用開口及びそれに挿通されるねじを目立たないようにすることができ、手すり本体の左右の終端部にも同一品で対応することができる手すり用エンドキャップを提供することを目的としている。
【課題を解決するための手段】
【０００８】
本発明に係る手すり用エンドキャップは、手すり本体の終端部が挿入される端部部材と、この端部部材に連結される湾曲したエンドキャップ本体部と、このエンドキャップ本体部と前記端部部材とを連結するボルトとを備えており、前記端部部材には終端部が挿入された手すり本体を固定するねじのためのねじ用開口が開設されているとともに、手すり本体が挿入される側と対向する側に凸部が、前記エンドキャップ本体部には前記凸部が挿入される凹部がそれぞれ形成されており、前記ボルトは、端部部材とエンドキャップ本体部とを連結した状態を保ちつつ、前記凸部が凹部から外れることができる長さの脚部を有している。
【００１０】
また、前記凸部は正多角柱状であり、前記凹部は凸部に対応している。
さらに、前記凸部は正四角柱状であり、前記凹部は八芒星状とすることも可能である。  
【発明の効果】
【００１１】
本発明に係る手すり用エンドキャップは、手すり本体の終端部が挿入される端部部材と、これにボルトで連結されるエンドキャップ本体部とから構成されるため、手すり本体の左側の終端部と右側の終端部にそれぞれ取り付けられるものを同一品とすることができる。しかも、手すり用エンドキャップを手すり本体に取り付けるねじのためのねじ用開口は、エンドキャップ本体部をどのような方向に向けても目立たない場所に位置させることができる。
さらに、手すり本体は手すり用エンドキャップに対応した特定の構造を有したものでなく、一般的に流通する汎用品を使用することができる。
【図面の簡単な説明】
【００１２】
【図１】本発明の第１の実施の形態に係る手すり用エンドキャップの概略的分解斜視図である。
【図２】本発明の第１の実施の形態に係る手すり用エンドキャップの概略的断面図である。
【図３】本発明の第１の実施の形態に係る手すり用エンドキャップの概略的断面図である。
【図４】本発明の第１の実施の形態に係る手すり用エンドキャップを下向きにした状態での使用状態を示す概略的一部断面図である。
【図５】本発明の第１の実施の形態に係る手すり用エンドキャップの概略的断面図である。
【図６】本発明の第１の実施の形態に係る手すり用エンドキャップを壁面に向けた状態での使用状態を示す概略的一部断面図である。
【図７】本発明の第２の実施の形態に係る手すり用エンドキャップの概略的分解斜視図である。
【図８】本発明の第３の実施の形態に係る手すり用エンドキャップの概略的分解斜視図である。
【発明を実施するための形態】
【００１３】
本発明の第１の実施の形態に係る手すり用エンドキャップ１００Ａは、手すり本体２００の終端部２１０が挿入される端部部材１１０Ａと、この端部部材１１０Ａに連結される湾曲したエンドキャップ本体部１２０Ａと、このエンドキャップ本体部１２０Ａと前記端部部材１１０Ａとを連結するボルト１３０Ａとを備えており、前記端部部材１１０Ａには終端部２１０が挿入された手すり本体２００を固定するねじ１４０Ａのためのねじ用開口１１５Ａが開設されているとともに、手すり本体２００が挿入される側と対向する側に凸部１１２Ａが、前記エンドキャップ本体部１２０Ａには前記凸部１１２Ａが挿入される凹部１２３Ａがそれぞれ形成されており、前記ボルト１３０Ａは、端部部材１１０Ａとエンドキャップ本体部１２０Ａとを連結した状態を保ちつつ、前記凸部１１２Ａが凹部１２３Ａから外れることができる長さの脚部１３１Ａを有している。
【００１４】
前記手すり本体２００は、例えば木製の円柱状に形成されていいる。この手すり本体２００の左右の終端部２１０に手すり用エンドキャップ１００Ａが取り付けられるのである。
【００１５】
手すり用エンドキャップ１００Ａを構成する端部部材１１０Ａは、手すり本体２００の終端部２１０が嵌まり込む有底円筒形状に形成されている。かかる端部部材１１０Ａの底面部１１１Ａ、すなわち手すり本体２００が挿入される側とは対向する側の中心には、外側に向かって突出する凸部１１２Ａが形成されている。この凸部１１２Ａの中心には後述するボルト１３０Ａが貫通するボルト貫通孔１１３Ａが開設されている。
前記凸部１１２Ａは、図１に示すように、底面が正方形である四角柱状に形成されている。
【００１６】
また、この端部部材１１０Ａの周壁１１４Ａには、挿入された手すり本体２００を固定するねじ１４０Ａのためのねじ用開口１１５Ａが１つ開設されている。前記ねじ１４０Ａは、頭部が皿タイプになったタッピンねじである。従って、ねじ用開口１１５Ａもねじ１４０Ａの頭部に対応して外側が大径で内側が小径に設定されている。
しかも、ねじ用開口１１５Ａは、凸部１１２Ａの側面の１つを含む面に対して並行になる位置に開設されている。
【００１７】
なお、この端部部材１１０Ａは、挿入された手すり本体２００との間に大きな段差を形成しないように、周壁１１４Ａの縁部には挿入される手すり本体２００側に向かってテーパ面１１６Ａが形成されている。
この端部部材１１０Ａは、背景技術で説明した汎用品である手すりに対応する手すり用エンドキャップにおける挿入部に相当する部分である。
【００１８】
一方、前記端部部材１１０Ａとともに手すり用エンドキャップ１００Ａを構成するエンドキャップ本体部１２０Ａは、前記端部部材１１０Ａと対向する取付面１２１Ａと、この取付面１２１Ａから直交する方向に湾曲したエンド部１２２Ａとを有している。前記取付面１２１Ａには、前記凸部１１２Ａが挿入される凹部１２３Ａが形成されている。この凹部１２３Ａは、凸部１１２Ａに対応した四角形状の凹みであり、中央に後述するボルト１３０Ａが螺合される雌ねじ１２４Ａが形成されている。
前記凹部１２３Ａは、エンドキャップ本体部１２０Ａをエンド部１２２Ａを底面にして立てた状態で各辺が垂直又は水平になるように構成されている。
【００１９】
また、前記エンド部１２２Ａは、円筒形状に形成されており、内周面１２５Ａには４つの爪部１２６Ａが９０°間隔で形成されている。この爪部１２６Ａは、エンド部１２２Ａを閉塞するための円盤状のキャップ１２７Ａを係止するものである。
なお、このエンドキャップ本体部１２０Ａは、背景技術で説明した汎用品である手すりに対応する手すり用エンドキャップにおける湾曲部に相当する部分である。
【００２０】
ところで、前記凸部１１２Ａの突出寸法と、前記凹部１２３Ａの凹み寸法とでは、突出寸法の方が若干小さく設定されている。これは、凹部１２３Ａに凸部１１２Ａが挿入された場合、エンドキャップ本体部１２０Ａの取付面１２１Ａと、端部部材１１０Ａの底面部１１１Ａとを確実に密着させるためである。
【００２１】
前記ボルト１３０Ａは、端部部材１１０Ａとエンドキャップ本体部１２０Ａとを連結するものであり、その脚部１３１Ａは、前記雌ねじ１２４Ａに螺合したままの状態であっても、凸部１１２Ａが凹部１２３Ａから外れることができる程度の長さに設定されている。もちろん、ボルト１３０Ａが完全に雌ねじ１２４Ａにねじ込まれれば、エンドキャップ本体部１２０Ａの取付面１２１Ａと、端部部材１１０Ａの底面部１１１Ａとは密着する。
しかしながら、その状態からボルト１３０Ａを緩めると、前記ボルト１３０Ａは、端部部材１１０Ａのボルト貫通孔１１３Ａを介してエンドキャップ本体部１２０Ａの雌ねじ１２４Ａに螺合されてはいても、凸部１１２Ａは凹部１２３Ａから外れることができるようになる。この状態では、端部部材１１０Ａとエンドキャップ本体部１２０Ａとは、ボルト１３０Ａを中心として回転することができるようになる。
【００２２】
このように構成された手すり用エンドキャップ１００Ａを、図４に示すように、床面Ｆに立設された支柱３００に掛け渡される手すり本体２００に取り付ける手順について、図２〜図４を参照しつつ説明する。なお、この場合は、エンドキャップ本体部１２０Ａは下向きになる。
手すり本体２００はすでに支柱３００に掛け渡されていてもよいし、手すり用エンドキャップ１００Ａが左右の終端部２１０に取り付けられた後に支柱３００に掛け渡してもよい。
図４に示すように、手すり用エンドキャップ１００Ａのボルト１３０Ａを、まだねじ込まれてはいるが外れてはいない状態にまで緩める。すると、端部部材１１０Ａの凸部１１２Ａはエンドキャップ本体部１２０Ａの凹部１２３Ａからは外れるが、端部部材１１０Ａとエンドキャップ本体部１２０Ａとはまだボルト１３０Ａで連結されている状態になる。
【００２３】
この状態でエンドキャップ本体部１２０Ａが下を向き、かつ端部部材１１０Ａのねじ用開口１１５Ａが下を向くようにする。これは、ねじ用開口１１５Ａが凸部１１２Ａの側面の１つを含む面に対して平行な位置に開設され、かつエンドキャップ本体部１２０Ａをエンド部１２２Ａを底面にすると凹部１２３Ａの各辺が垂直又は水平になるように構成したため可能になっている。
【００２４】
かかる状態からボルト１３０Ａを締め増しして、図２に示すように、凸部１１２Ａが凹部１２３Ａに挿入された状態で、端部部材１１０Ａとエンドキャップ本体部１２０Ａとを完全に連結する。
エンドキャップ本体部１２０Ａが下向きになるような状態で、手すり用エンドキャップ１００Ａの端部部材１１０Ａに手すり本体２００の終端部２１０を挿入する。そして、ねじ用開口１１５Ａからタッピンねじであるねじ１４０Ａを手すり本体２００にねじ込む。これによって、ねじ１４０Ａは手すり用エンドキャップ１００Ａの下側に位置することになるので、ねじ用開口１１５Ａ及びそれに挿通されるねじ１４０Ａは目立たなくなる。
【００２５】
次に、手すり用エンドキャップ１００Ａを、図６に示すように、壁面Ｗに取り付けられたブラケット３１０に掛け渡される手すり本体２００に取り付ける手順について、図３、図５及び図６を参照しつつ説明する。なお、この場合は、エンドキャップ本体部１２０Ａは壁面Ｗに向く、すなわち水平になる。
図３に示すように、手すり用エンドキャップ１００Ａのボルト１３０Ａを、まだねじ込まれてはいるが外れてはいない状態にまで緩める。すると、端部部材１１０Ａの凸部１１２Ａはエンドキャップ本体部１２０Ａの凹部１２３Ａからは外れるが、端部部材１１０Ａとエンドキャップ本体部１２０Ａとはまだボルト１３０Ａで連結されている状態になる。
【００２６】
この状態で、図５に示すように、エンドキャップ本体部１２０Ａが水平方向を向き、かつ端部部材１１０Ａのねじ用開口１１５Ａが下を向くようにする。
かかる状態からボルト１３０Ａを締め増しして、凸部１１２Ａが凹部１２３Ａに挿入された状態で、端部部材１１０Ａとエンドキャップ本体部１２０Ａとを完全に連結する。
図５に示された手すり用エンドキャップ１００Ａは、図６に示す手すり本体２００の左側の終端部２１０に取り付けられるものである。右側の終端部２１０に取り付けられる手すり用エンドキャップ１００Ａは、図５に示すものとは左右対称になっていなければならない。すなわち、右側の終端部２１０に取り付けられる手すり用エンドキャップ１００Ａは、左側の終端部２１０に取り付けられる手すり用エンドキャップ１００Ａの端部部材１１０Ａをボルト１３０Ａを中心として１８０°回転させたものである。
【００２７】
端部部材１１０Ａとエンドキャップ本体部１２０Ａとが一体化された従来のこの種の手すり用エンドキャップであれば、手すり本体２００の左側に取り付けるものと、右側に取り付けるものとでは、同一のものではなく、左右対称になったものを準備しなければならなかったが、この手すり用エンドキャップ１００Ａであると、端部部材１１０Ａとエンドキャップ本体部１２０Ａとが別体になっているため、１つのもので対応することができるというメリットがある。
しかも、図４に示すように下向きに取り付けられる手すり用エンドキャップ１００Ａと、図６に示すように壁面Ｗに向かって取り付けられる手すり用エンドキャップ１００Ａとも同一のもので対応することができる。
端部部材１１０Ａとエンドキャップ本体部１２０Ａとが一体化された従来の手すり用エンドキャップであれば、下向きのもの１種類、左向きのもの１種類、右向きのもの１種類の合計３種類を準備する必要があったが、この手すり用エンドキャップ１００Ａであれば１つのものでこれらすべてに対応することができる。
【００２８】
上述した第１の実施の形態に係る手すり用エンドキャップ１００Ａでは、凸部１１２Ａは底面が正方形である四角柱状とし、凹部１２３Ａは凸部１１２Ａに対応した四角形状の凹みであるとした。
しかしながら、本発明はこれに限定されるものではない。
本発明の第２の実施の形態に係る手すり用エンドキャップ１００Ｂは、図７に示すように、手すり本体２００の終端部２１０が挿入される端部部材１１０Ｂと、この端部部材１１０Ｂに連結される湾曲したエンドキャップ本体部１２０Ｂと、このエンドキャップ本体部１２０Ｂと前記端部部材１１０Ｂとを連結するボルト１３０Ｂとを備えており、前記端部部材１１０Ｂには終端部２１０が挿入された手すり本体２００固定するねじ１４０Ｂのためのねじ用開口１１５Ｂが開設されているとともに、手すり本体２００が挿入される側と対向する側に凸部１１２Ｂが、前記エンドキャップ本体部１２０Ｂには前記凸部１１２Ｂが挿入される凹部１２３Ｂがそれぞれ形成されており、前記ボルト１３０Ｂは、端部部材１１０Ｂとエンドキャップ本体部１２０Ｂとを連結した状態を保ちつつ、前記凸部１１２Ｂが凹部１２３Ｂから外れることができる長さの脚部１３１Ｂを有しており、前記凸部１１２Ｂは正四角柱状であり、前記凹部１２３Ｂは八芒星状に形成されている。
【００２９】
この第２の実施の形態に係る手すり用エンドキャップ１００Ｂが、第１の実施の形態に係る手すり用エンドキャップ１００Ａと異なる点は凹部１２３Ｂであり、その他の点は同一又はほぼ同一なので、以下ではその他の点の詳細な説明は省略する。
【００３０】
第２の実施の形態に係る手すり用エンドキャップ１００Ｂのエンドキャップ本体部１２０Ｂの凹部１２３Ｂは、２つの同一サイズの正方形を４５°傾けて重ね合わせたいわゆる八芒星状に形成されている。従って、この凹部１２３Ｂは角部が雌ねじ１２４Ｂを中心として４５°間隔でずれている。従って、凸部１１２Ｂが正四角柱状であるため、端部部材１１０Ｂはエンドキャップ本体部１２０Ｂに対して４５°ずつずれた状態の８姿勢で取り付けられることができるようになっている。
なお、第１の実施の形態に係る手すり用エンドキャップ１００Ａでは、凸部１１２Ａも凹部１２３Ａも四角柱状であるため、９０°ずつずれた状態の４姿勢で取り付けられることができるようになっている。
【００３１】
このように構成された手すり用エンドキャップ１００Ｂであれば、手すり用エンドキャップ１００Ｂの手すり本体２００の終端部２１０に対する取付方向がより多彩になるため、まっすぐな手すり本体２００だけでなく、左右の終端部が同一直線上にないもの、すなわち途中で屈曲、湾曲したものであっても、ねじ用開口１１５Ｂ及びそれに挿通されるねじ１４０Ｂを目立たないようにすることができるようになる。
【００３２】
また、図８に示す第３の実施の形態に係る手すり用エンドキャップ１００Ｃのように、凸部１１２Ｃを円柱形状とし、凹部１２３Ｃをこの凸部１１２Ｃに対応した円柱状の凹みとすることも可能である。
このように凸部１１２Ｃ及び凹部１２３Ｃが多角形状ではなく円柱状であれば、端部部材１１０Ｃのエンドキャップ本体部１２０Ｃへの取付角度をより自在に設定することができるというメリットがある。
ただし、凸部１１２Ｃ及び凹部１２３Ｃが円柱状であるので、手すり本体２００がボルト１３０Ｃを中心軸として回転してしまうこともある。
なお、上述した手すり用エンドキャップ１００Ａ、１００Ｂであれば、手すり本体２００がボルト１３０Ａ、１３０Ｂを中心軸として回転することはない。
【００３３】
第３の実施の形態に係る手すり用エンドキャップ１００Ｃは、第１の実施の形態に係る手すり用エンドキャップ１００Ａと異なる点は凸部１１２Ｃ及び凹部１２３Ｃのみであり、その他の点は同一又はほぼ同一なので、以下ではその他の点の詳細な説明は省略する。
【００３４】
上述した第１〜第３の実施の形態では、端部部材１１０Ａ、１１０Ｂ、１１０Ｃに凸部１１２Ａ、１１２Ｂ、１１２Ｃが、エンドキャップ本体部１２０Ａ、１２０Ｂ、１２０Ｃに対応した凹部１２３Ａ、１２３Ｂ、１２３Ｃがそれぞれ形成されるとしたが、その逆、すなわち端部部材に凹部が、エンドキャップ本体部に対応した凸部がそれぞれ形成されていてもよい。
【００３５】
また、第１の実施の形態では、エンド部１２２Ａの内周面１２５Ａには４つの爪部１２６Ａが９０°間隔で形成されているとしたが、エンド部１２２Ａは筒状ではなく中実であってもよい。その場合には、爪１２６Ａはなく、エンド部１２２Ａを閉塞する円盤状のキャップ１２７Ａも不要である。
【００３６】
上述した第１の実施の形態では、ボルト１３０Ａの脚部１３１Ａは、端部部材１１０Ａとエンドキャップ本体部１２０Ａとを連結した状態を保ちつつ、凸部１１２Ａが凹部１２３Ａから外れるがことができる長さに設定されているとしたが、本発明がこれに限定されるものではない。
脚部の長さは、ボルトを完全に外さないと凸部１１２Ａが凹部１２３Ａから外れないようなものとすることも可能である。
なお、これは第２の実施の形態に係る手すり用エンドキャップ１００Ｂや、第３の実施の形態に係る手すり用エンドキャップ１００Ｃでも同様である。
【符号の説明】
【００３７】
１００Ａ  （第１の実施例に係る）手すり用エンドキャップ
１１０Ａ  端部部材
１１２Ａ  凸部
１１５Ａ  ねじ用開口
１２０Ａ  エンドキャップ本体部
１２３Ａ  凹部
１３０Ａ  ボルト
１４０Ａ  ねじ
１３１Ａ  脚部
２００    手すり本体
２１０    終端部
【図１】
0006562762.tif 000002
【図２】
0006562762.tif 000003
【図３】
0006562762.tif 000004
【図４】
0006562762.tif 000005
【図５】
0006562762.tif 000006
【図６】
0006562762.tif 000007
【図７】
0006562762.tif 000008
【図８】
0006562762.tif 000009